(57)【要約】【課題】ユーザの首振動作時の誤操作を防止して利便性を向上できる送風装置を提供する。【解決手段】設置面に設置される設置部３と、設置部３上に立設して回動可能に配される回動部２と、回動部２の表面に開口する吸込口４及び吹出口５と、回動部２内に配して吸込口４と吹出口５とを連通させる送風通路２２と、送風通路２２に配される送風ファン７と、回動部２の外面に配して複数の操作ボタンを有する操作パネル６と、を備え、回動部２を首振させる首振動作を行いながら送風ファン７の駆動により吸込口４から吸気して吹出口５から送風する送風装置１において、首振動作が行われている間に各操作ボタンに対してユーザが接触した際に首振動作を停止することを特徴とする。【選択図】図１
2013213456.tif 000002
【特許請求の範囲】
【請求項１】
設置面に設置される設置部と、
前記設置部上に立設して回動可能に配される回動部と、
前記回動部の表面に開口する吸込口及び吹出口と、
前記回動部内に配して前記吸込口と吹出口とを連通させる送風通路と、
前記送風通路に配される送風ファンと、
前記回動部の外面に配して複数の操作ボタンを有する操作パネルと、
を備え、前記回動部を首振させる首振動作を行いながら前記送風ファンの駆動により前記吸込口から吸気して前記吹出口から送風する送風装置において、
前記首振動作が行われている間に各前記操作ボタンに対してユーザが接触した際に前記首振動作を停止することを特徴とする送風装置。
【請求項２】
前記首振動作が行われている間にユーザが接触した前記操作ボタンに割り当てた機能を無効にし、前記首振動作の停止後に有効にしたことを特徴とする請求項１に記載の送風装置。
【請求項３】
前記操作パネルがタッチパネルにより形成され、各前記操作ボタンの間のスペースの接触時に前記首振動作を停止することを特徴とする請求項１又は２に記載の送風装置。
【請求項４】
前記回動部の回動軸上にいずれかの前記操作ボタンを配したことを特徴とする請求項１〜３のいずれかに記載の送風装置。
【請求項５】
設置面に設置される設置部と、
前記設置部上に立設して回動可能に配される回動部と、
前記回動部の表面に開口する吸込口及び吹出口と、
前記回動部内に配して前記吸込口と吹出口とを連通させる送風通路と、
前記送風通路に配される送風ファンと、
前記回動部の外面に配して複数の操作ボタンを有する操作パネルと、
前記操作ボタンの近傍に配される第１照度センサと、
を備え、前記回動部を首振させる首振動作を行いながら前記送風ファンの駆動により前記吸込口から吸気して前記吹出口から送風する送風装置において、
前記首振動作が行われている間に第１照度センサの検知した照度が第１照度よりも低くなったことを検知した際に前記首振動作を停止することを特徴とする送風装置。
【請求項６】
前記回動部の周面に第２照度センサを設け、
第１照度センサの検知した照度が第１照度よりも低く、第２照度センサの検知した照度が第２照度よりも低いときに前記首振動作を停止させないことを特徴とする請求項５に記載の送風装置。
【請求項７】
前記回動部の周面に人体を感知する人感センサを設け、
第１照度センサの検知した照度が第１照度よりも低く、前記人体センサが人体を感知しないときに前記首振動作を停止させないことを特徴とする請求項５に記載の送風装置。
【請求項８】
前記首振動作を停止してから前記操作パネルの未操作状態が所定時間継続すると、前記首振動作を再開することを特徴とする請求項１〜７のいずれかに記載の送風装置。
【発明の詳細な説明】
【技術分野】
【０００１】
本発明は回動部を備える送風装置に関する。
【背景技術】
【０００２】
特許文献１には従来の送風装置が開示されている。この送風装置（扇風機）は設置部、ボディ部及びヘッド部（回動部）を備える。円柱状に形成される設置部は地面に設置されてボディ部を立設する。設置部には送風装置の運転状態を表示するインジケータが設けられる。
【０００３】
ポール型に形成されるボディ部は設置部とヘッド部とを連結する。ボディ部により軸支されるヘッド部には送風ファン、操作部及び首振りモータが設けられる。ヘッド部の正面に設けられる送風ファンは金属性のガードにより覆われる。操作部はヘッド部の上面に設けられる。
【０００４】
操作部にはボタンスイッチによって形成される電源スイッチ、風量スイッチ、首振りスイッチ及び切タイマスイッチが設けられる。電源スイッチの押圧によって電源のＯＮ／ＯＦＦの切り換えを行う。風量スイッチの押圧によって４段階の風量（超微風、微風、弱風、強風）の調節を行う。
【０００５】
首振スイッチの押圧によってヘッド部の首振の動作の開始や停止を行う。切タイマスイッチの押圧によって送風装置の切タイマの時間（１、２、３、４時間）の設定を行う。首振りモータはヘッド部の首振の動作を行う。
【０００６】
上記構成の送風装置において、ユーザが電源スイッチを押圧して送風装置が駆動される。送風装置が駆動されると、送風ファンが回転して空気を送風する。そして、首振スイッチの押圧によってヘッド部は首振りモータの駆動により首振動作をしながら空気を送風する。
【先行技術文献】
【特許文献】
【０００７】
【特許文献１】特開２０１１−２３１７３１号公報
【発明の概要】
【発明が解決しようとする課題】
【０００８】
しかしながら、上記従来の送風装置によると、操作部が設けられるヘッド部は首振動作をしながら空気を送出している。このため、操作ボタンを押圧する際に、ユーザは所望の操作ボタンを誤って押圧する可能性がある。これにより、再度操作ボタンを押圧する必要があり、送風装置の利便性が低下するという問題がある。
【０００９】
本発明は、首振動作時の誤操作を防止して利便性を向上できる送風装置を提供することを目的とする。
【課題を解決するための手段】
【００１０】
上記目的を達成するために本発明の送風装置は、設置面に設置される設置部と、前記設置部上に立設して回動可能に配される回動部と、前記回動部の表面に開口する吸込口及び吹出口と、前記回動部内に配して前記吸込口と吹出口とを連通させる送風通路と、前記送風通路に配される送風ファンと、前記回動部の外面に配して複数の操作ボタンを有する操作パネルと、を備え、前記回動部を首振させる首振動作を行いながら前記送風ファンの駆動により前記吸込口から吸気して前記吹出口から送風する送風装置において、前記首振動作が行われている間に各前記操作ボタンに対してユーザが接触した際に前記首振動作を停止することを特徴とする。
【００１１】
この構成によると、送風装置が駆動すると、回動部は首振動作を行いながら送風ファンにより吸込口から吸気して吹出口から空気を送風する。そして、ユーザが操作パネルに設けられる操作ボタンのいずれかに接触すると、回動部の首振動作が停止する。
【００１２】
また本発明は、上記構成の送風装置において、前記首振動作が行われている間にユーザが接触した前記操作ボタンに割り当てた機能を無効にし、前記首振動作の停止後に有効にしたことを特徴とする。
【００１３】
また本発明は、上記構成の送風装置において、前記操作パネルがタッチパネルにより形成され、各前記操作ボタンの間のスペースの接触時に前記首振動作を停止することを特徴とする。
【００１４】
また本発明は、上記構成の送風装置において、前記回動部の回動軸上にいずれかの前記操作ボタンを配したことを特徴とする。
【００１５】
また、上記目的を達成するために本発明の送風装置は、設置面に設置される設置部と、前記設置部上に立設して回動可能に配される回動部と、前記回動部の表面に開口する吸込口及び吹出口と、前記回動部内に配して前記吸込口と吹出口とを連通させる送風通路と、前記送風通路に配される送風ファンと、前記回動部の外面に配して複数の操作ボタンを有する操作パネルと、前記操作ボタンの近傍に配される第１照度センサと、を備え、前記回動部を首振させる首振動作を行いながら前記送風ファンの駆動により前記吸込口から吸気して前記吹出口から送風する送風装置において、前記首振動作が行われている間に第１照度センサの検知した照度が第１照度よりも低くなったことを検知した際に前記首振動作を停止することを特徴とする。
【００１６】
この構成によると、送風装置が駆動すると、回動部は首振動作を行いながら送風ファンにより吸込口から吸気して吹出口から送風する。そして、ユーザが操作パネルを操作しようとして操作パネルの上方が第１照度よりも低くなると、回動部の首振動作が停止する。
【００１７】
また本発明は、上記構成の送風装置において、前記回動部の周面に第２照度センサを設け、第１照度センサの検知した照度が第１照度よりも低く、第２照度センサの検知した照度が第２照度よりも低いときに前記首振動作を停止させないことを特徴とする。
【００１８】
この構成によると、室内が暗くなった場合など、ユーザが操作パネルを操作しない場合には回動部の首振動作は停止させない。
【００１９】
また本発明は、上記構成の送風装置において、前記回動部の周面に人体を感知する人感センサを設け、第１照度センサの検知した照度が第１照度よりも低く、前記人体センサが人体を感知しないときに前記首振動作を停止させないことを特徴とする。
【００２０】
また本発明は、上記構成の送風装置において、前記首振動作を停止してから前記操作パネルの未入力状態が所定時間経過すると、前記首振動作を再開することを特徴とする。
【発明の効果】
【００２１】
本発明によると、首振動作が行われている間に操作ボタンに対してユーザが接触した際や、第１照度センサの検知した照度が第１照度よりも低くなったことを検知した際に首振動作を停止するため、首振動作時の誤操作を防止して送風装置の利便性を向上できる。
【図面の簡単な説明】
【００２２】
【図１】本発明の第１実施形態の送風装置を示す斜視図
【図２】本発明の第１実施形態の送風装置を示す斜視図
【図３】本発明の第１実施形態の送風装置を示す側面図
【図４】本発明の第１実施形態の送風装置の操作パネルを示す正面図
【図５】本発明の第１実施形態の送風装置の動作を示すフローチャート
【図６】本発明の第２実施形態の送風装置を示す斜視図
【図７】本発明の第２実施形態の送風装置の動作を示すフローチャート
【発明を実施するための形態】
【００２３】
以下に本発明の実施形態を図面を参照して説明する。図１、図２及び図３は第１実施形態の送風装置１の前方から見た斜視図、後方から見た斜視図、外装カバーを外した側面図を示している。図１〜図３の白抜き矢印は送風装置による空気の流通経路及び流通方向を示している。
【００２４】
送風装置１は設置部３と回動部２とを備える。設置部３は平面視円形により形成されて設置面に設置される。設置部３の後部には電源コード８とその先端に設けた電源プラグ（不図示）とを備える。電源コード８を介して送風装置１は商用交流電源から電力の供給を受ける。
【００２５】
回動部２は設置部３上に立設して回動可能に配される。回動部２は底面が円形で形成され、上下方向略中央部から上端にかけては略直方体形状で形成される。回動部２の背面には回動部２に凹設した把持部１０が設けられる。ユーザは把持部１０を把持して送風装置１を持ち運ぶ。また、回動部２は下部に首振りモータ（不図示）を有し、首振りモータを駆動すると、回動軸２ａを中心に左右に首振動作する。
【００２６】
回動部２は下部側面に開口する吸込口４と上部正面に開口する吹出口５と送風通路２０とを備える。回動部２内に配される送風通路２０は上下方向に延びて吸込口４と吹出口５とを連通させる。吸込口４には塵埃を捕集する不図示の集塵フィルタと、複数の通気孔を開口した通気板９とが配される。
【００２７】
送風通路２０の空気流通方向の下流部は上方に向かって延びるとともに前方に向かって湾曲する。送風通路２０の下流部は５枚の仕切り板２１により６本の通風路２２に区分される。
【００２８】
通風路２２の入口部２３は後述するイオン発生装置３０の配置箇所のすぐ下流に位置し、出口部２４は吹出口５のすぐ上流に位置する。６本の通風路２２は入口部２３において送風装置１の前後方向に一列に並び、出口部２４において上下方向に一列に並ぶ。
【００２９】
通風路２２の出口部２４と吹出口５との間には６枚の可動ルーバー２５が設けられる。可動ルーバー２５は各々上流端が５枚の仕切り板２１と出口部２４の最下方の壁板２６とに連続して取り付けられる。可動ルーバー２５は下流側がルーバーモータ（不図示）に連結される。ルーバーモータを駆動すると、６枚の可動ルーバー２５の下流部が揃って上下方向に変位する。
【００３０】
送風通路２０の下部にはシロッコファンから成る送風ファン７が配される。送風ファン７の吸気口（不図示）は吸込口４に隣接し、送風ファン７の排気口７ａは上方を指向する。送風ファン７は吸込口４から吸い込んだ空気を吹出口５に向かって流通させる。
【００３１】
送風ファン７の上方であって空気流通方向の下流側にはイオン発生装置３０が配置される。イオン発生装置３０により発生するイオンは送風通路２０を流通する気流に含ませられる。また、回動部２の内部には制御基板（不図示）が設けられる。
【００３２】
イオン発生装置３０は送風ファン７に対して空気流通方向の下流側に配置される。イオン発生装置３０は正イオン発生部、負イオン発生部（いずれも不図示）を備える。正イオン発生部は正放電電極（不図示）を備え、負イオン発生部は負放電電極（不図示）を備える。二対の正放電電極及び負放電電極は各々針状に形成されて所定の間隔で並べて配置され、送風通路２０に臨んで配される。
【００３３】
正放電電極、負放電電極に高圧電気発生回路で生成された高電圧が供給されて放電を発生させてイオンを放出する。ここで、イオン発生装置３０の正放電電極、負放電電極には交流波形またはインパルス波形から成る電圧が印加される。正放電電極には正電圧が印加され、コロナ放電による水素イオンが空気中の水分と結合して主としてＨ+（Ｈ2Ｏ）ｍから成る正イオンを発生する。
【００３４】
負放電電極には負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００３５】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、イオン発生装置３０は送風通路２０の内部を流通する空気に対して正放電電極及び負放電電極で放電により発生させた正イオン及び負イオンを含ませるように放出することにより、例えば室内の殺菌や脱臭を行うことができる。
【００３６】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３７】
回動部２の上面には操作パネル６が配される。図４は操作パネル６を示す正面図である。タッチパネルにより形成される操作パネル６には複数の操作ボタンが設けられる。操作ボタンは運転ボタン６ａ、風量切替ボタン６ｂ、６ｃ、イオン発生モードボタン６ｄ、フィルタ交換ランプ６ｅ、リセットボタン６ｇ及び首振ボタン６ｈから成る。なお、操作パネル６は回動部２の外面に設けられてもよい。
【００３８】
回動軸２ａ上に配される運転ボタン６ａは送風装置１の電源のＯＮ／ＯＦＦを切替え、電源をＯＮにするとイオン発生装置３０の駆動が開始される。風量切替ボタン６ｂ、６ｃは送風装置１の風量を調整する。
【００３９】
イオン発生モードボタン６ｄは予め設定された運転モードの選択を切替える。イオン発生装置３０は涼風イオンモード、室内清浄モード、衣類脱臭モード、見張りモードの４つのモード備え、状況に応じて切り替えて使用される。ＬＥＤ光源からなるフィルタ交換ランプ６ｅは集塵フィルタ（不図示）の交換時期が来ると点灯する。リセットボタン６ｇはフィルタ交換時に押圧して点灯したフィルタ交換ランプ６ｅを消灯する。
【００４０】
首振ボタン６ｈは回動部２の首振動作の一時停止時に押圧されると首振動作を継続停止し、首振動作の継続停止時に押圧されると首振動作を開始する。いずれの操作ボタンも回動部２が首振動作中には割り当てた機能は無効になる。各操作ボタンの間のスペース６ｆはタッチパネルによってユーザが接触したことを検知することができる。
【００４１】
図５は送風装置１の首振動作の処理を示すフローチャートである。ステップＳ１ではユーザが各操作ボタンを接触して操作ボタンを操作したか否かが判断される。この時、各操作ボタンだけでなく操作ボタンの間のスペース６ｆに接触してもよい。接触を検知するとステップＳ２へ移行する。
【００４２】
ステップＳ２では回動部２が首振動作中であるか否かを判断する。首振動作中の場合にはステップＳ４へ移行し、首振動作中ではない場合にはステップＳ３へ移行する。
【００４３】
ステップＳ３ではユーザの操作入力を受け付け操作に応じた動作が行われる。首振ボタン６ｈが操作された場合は首振が開始される。また、運転ボタン６ａが操作された場合は電源が停止される。
【００４４】
ステップＳ４では送風装置１は首振動作中の場合には各操作ボタンに割り当てた機能を無効にして回動部２の首振動作を停止させる。首振動作が停止すると送風装置１は操作ボタンに割り当てた機能を有効にし、ステップＳ５では操作パネル６からユーザの操作入力があるか否かが判断される。操作入力がある場合にはステップＳ６へ移行し、操作が無い場合にはステップＳ７へ移行する。
【００４５】
ステップＳ６ではユーザからの操作を受け付け操作に応じた動作が行われる。この時、首振ボタン６ｈが操作された場合は一時停止中の首振動作を継続して停止させる。
【００４６】
ステップＳ７では回動部２の首振動作停止後、所定時間経過したか否かが判断される。所定時間経過した場合にはステップＳ８へ移行し、経過していない場合にはステップＳ５へ移行してステップＳ５〜Ｓ７が繰り返される。
【００４７】
ステップＳ８では首振動作を継続して停止するか否かが判断される。停止の場合にはステップＳ１に戻る。停止でない場合はステップＳ９へ移行する。ステップ８では送風装置１は回動部２の首振動作が再開される。以上によりフローチャートを用いた説明を終了する。
【００４８】
本実施形態によると、首振動作が行われている間に操作ボタンに対してユーザが接触した際に首振動作を停止するため、首振動作時の誤操作を防止して利便性を向上できる。
【００４９】
また、首振動作が行われている間にユーザが接触した操作ボタンに割り当てた機能を無効にし、首振動作の停止後に有効にしたため、首振動作の停止以外にユーザの意図に反した動作が行われない。従って送風装置１の利便性をより向上できる。
【００５０】
また、操作パネル６がタッチパネルにより形成され、各操作ボタン間のスペース６ｆの接触時に首振動作を停止するため、簡単に首振動作を停止でき、送風装置１の利便性をより向上できる。
【００５１】
また、回動部２の回動軸２ａ上にいずれかの操作ボタンを配したため回動軸２ａ上の操作ボタンは回動部２の回動により位置が変化しない。このため、容易に首振動作を停止することができる。
【００５２】
（第２実施形態）
次に図６は第２実施形態の送風装置１を示す斜視図である。説明の便宜上、前述の図１〜４を示す第１実施形態と同様の部分には同一の符号を付している。本実施形態では首振動作中に操作ボタン、操作ボタン間にユーザが接触しても首振動作は停止されない。また、本実施形態では第１実施形態と異なり第１照度センサ１５、第２照度センサ１６が設けられる。これらのセンサの検知結果で後述するように首振動作は停止するが、その他は第１実施形態と同様である。
【００５３】
第１照度センサ１５は操作ボタンの近傍に配されてユーザが手をかざした際の照度変化を検知する。本実施形態では第１照度センサ１５の送風装置１の上方からの照度を検知する。第１照度センサ１５は第１照度を閾値として有しており、回動部２は閾値に基づいて首振動作が制御される。尚、第１照度センサ１５は本実施形態のように操作パネル６に設けられているが、操作ボタンの近傍の回動部２の周面に設けてもよい。
【００５４】
第２照度センサ１６は回動部２の前面に設けられて送風装置１の側方からの照度を検知する。第２照度センサ１６は第２照度を閾値として有しており、回動部２は閾値に基づいて首振動作が制御される。
【００５５】
図７は送風装置１の首振動作の処理を示すフローチャートである。ステップＳ１１では回動部２が首振動作を開始するか否かが判断される。首振動作開始である場合にはステップＳ１２へ移行し、開始しない場合にはステップＳ１１に戻る。
【００５６】
ステップＳ１２では第１照度センサ１５は送風装置１の操作パネル６の上方の第１照度を検知し、第２照度センサ１６は回動部２の側面の第２照度を検知する。
【００５７】
ステップＳ１３では第１照度センサ１５が検知する照度が第１照度より低いか否か判断される。例えば、ユーザの手が操作パネル６の上にあるように第１照度センサ１５が検知する照度が第１照度より低い場合にはステップＳ１４へ移行する。第１照度より高い場合にはステップＳ１２へ戻る。
【００５８】
ステップＳ１４では第２照度センサ１６が検知する照度が第２照度より低いか否か判定される。第２照度よりも高い場合にはステップＳ１５へ移行する。例えば部屋が消灯されたように第２照度よりも低い場合にはステップＳ１２へ戻る。ステップＳ１５では回動部２の首振動作が停止される。
【００５９】
ステップＳ１６では操作パネル６から操作入力があったか否かが判断される。ユーザからの操作入力があるとステップＳ１７へ移行し、無い場合にはステップＳ１８へ移行する。
【００６０】
ステップＳ１７ではユーザからの操作を受け付け操作に応じた動作が行われる。この時、首振ボタン６ｈが操作された場合は一時停止中の首振動作を継続して停止させる。
【００６１】
ステップＳ１８では回動部２の首振動作停止後、所定時間経過したか否かが判断される。所定時間経過した場合にはステップＳ１９へ移行し、経過していない場合にはステップＳ１６へ移行してステップＳ１６〜Ｓ１８が繰り返される。
【００６２】
ステップＳ１９では首振動作を継続して停止するか否かが判断される。停止の場合にはステップＳ１１に戻る。停止でない場合はステップＳ２０へ移行する。ステップＳ２０では送風装置１は回動部２の首振動作が再開される。以上によりフローチャートを用いた説明を終了する。
【００６３】
また、第２照度センサ１６に代えてユーザを感知する人感センサ（不図示）を設けてもよい。人感センサとしては塵埃センサ、赤外線センサなどを利用することができる。また第２照度センサ１６を省略してもよい。
【００６４】
本実施形態によると、首振動作が行われている間に第１照度センサ１５が第１照度よりも低くなったことを検知した際に首振動作を停止するため、第１実施形態と同様の効果を得ることができる。
【００６５】
また、第１照度センサ１５が第１照度よりも低く、第２照度センサ１６が第２照度よりも低いときに首振動作を停止させないため、就寝時等室内が暗い場合に首振動作停止の誤動作を抑制することができる。
【００６６】
また、第１照度センサ１５が第１照度よりも低く、人体センサが人体を感知しないときに首振動作を停止させないため、就寝時等室内が暗い場合に首振動作停止の誤動作を抑制することができる。
【産業上の利用可能性】
【００６７】
本発明によると、回動部を備える送風装置に利用することができる。
【符号の説明】
【００６８】
１      送風装置
２      回動部
２ａ    回動軸
３      設置部
４      吸入口
５      吹出口
６      操作パネル
６ｆ    スペース
６ｇ    リセットボタン
６ｈ    首振ボタン
７      操作パネル
８      電源コード
９      通気板
１０    把持部
１５    第１照度センサ
１６    第２照度センサ
２２    送風通路
３０    イオン発生装置
【図１】
2013213456.tif 000003
【図２】
2013213456.tif 000004
【図３】
2013213456.tif 000005
【図４】
2013213456.tif 000006
【図５】
2013213456.tif 000007
【図６】
2013213456.tif 000008
【図７】
2013213456.tif 000009